(57)【要約】【課題】  カメラ機能を利用してＴＶ番組情報を登録するＴＶ機能を有する携帯端末装置，その番組登録方法およびプログラムを提供する。【解決手段】  接写レンズ１１２を装着したカメラ１１１はバーコードを撮影して画像データを取り込んで制御部１０２に送出し、制御部１０２は画像データを解読してバーコードを認識しバーコードの番組情報（チャンネル情報、時間情報）をメモリ１１３に記憶する。ＴＶ視聴時には、制御部１０２はメモリ１１３に登録された番組情報を読み出して表示部１０８に表示し、選択された番組情報のチャンネル情報をＴＶ用チューナ１１０に入力し、ＴＶ用受信部１０９はＴＶ用チューナ１１０により設定されたチャンネルの電波を受信してＴＶ用チューナ１１０に送出し、ＴＶ用チューナ１１０はＴＶ用電波を復調して制御部１０２に送出し、制御部１０２は表示部１０８にＴＶ画像を表示する。【選択図】      図１
2005094226.tif 000002
【特許請求の範囲】
【請求項１】
ＴＶ機能を有する携帯端末装置であって、
チャンネル情報および時間情報を含むＴＶ番組情報を登録するＴＶ番組情報登録手段と、
前記ＴＶ番組情報登録手段が登録したＴＶ番組情報を指定してＴＶチャンネルを選択するＴＶチャンネル選択手段と、を備える、
ことを特徴とするＴＶ機能を有する携帯端末装置。
【請求項２】
前記ＴＶ番組情報登録手段は、
ＴＶ番組コードを撮影するカメラと、
前記カメラが撮影した前記ＴＶ番組コードの画像データを取り込んで解読してＴＶ番組コードを認識するＴＶ番組コード認識手段と、
前記ＴＶ番組コード認識手段が認識したＴＶ番組コードからＴＶ番組情報を展開して格納するＴＶ番組情報格納手段と、を含む、
ことを特徴とする請求項１記載のＴＶ機能を有する携帯端末装置。
【請求項３】
前記ＴＶチャンネル選択手段は、
前記ＴＶ番組情報登録手段が登録したＴＶ番組情報を読み出すＴＶ番組情報読出手段と、
前記ＴＶ番組情報読出手段が読み出したＴＶ番組情報リストの中から選択したＴＶ番組情報に含まれるチャンネル情報をＴＶ用チューナに入力するチャンネル情報入力手段と、を含む、
ことを特徴とする請求項１記載のＴＶ機能を有する携帯端末装置。
【請求項４】
前記ＴＶ番組情報登録手段が登録したＴＶ番組情報に含まれる時間情報を基にＴＶ機能をタイマ起動／停止する手段を含む、
ことを特徴とする請求項１記載のＴＶ機能を有する携帯端末装置。
【請求項５】
前記ＴＶ番組コードは、
バーコードから成る、
ことを特徴とする請求項２記載のＴＶ機能を有する携帯端末装置。
【請求項６】
ＴＶ機能を有する携帯端末装置の番組登録方法であって、
カメラは、
ＴＶ番組コードを撮影して画像データを取り込んで制御部に送出し、
前記制御部は、
画像データを解読してＴＶ番組コードを認識し、
認識したＴＶ番組コードからチャンネル情報および時間情報を含む番組情報を展開し、
前記番組情報をメモリに記憶する、
ことを特徴とするＴＶ機能を有する携帯端末装置の番組登録方法。
【請求項７】
前記制御部は、
前記メモリに登録された番組情報を読み出して表示部に表示し、
表示された番組情報の中から選択された番組情報に含まれるチャンネル情報をＴＶ用チューナに入力する、
ことを特徴とする請求項６記載のＴＶ機能を有する携帯端末装置の番組登録方法。
【請求項８】
前記制御部は、
前記メモリに登録された番組情報を読み出して表示部に表示し、
表示された番組情報の中から選択された番組情報に含まれる時間情報を基にＴＶ機能をタイマ起動／停止する、
ことを特徴とする請求項６記載のＴＶ機能を有する携帯端末装置の番組登録方法。
【請求項９】
前記ＴＶ番組コードは、
バーコードである、
ことを特徴とする請求項６記載のＴＶ機能を有する携帯端末装置の番組登録方法。
【請求項１０】
ＴＶ機能を有する携帯端末装置の番組登録プログラムであって、
コンピュータに、
カメラで撮影したＴＶ番組コードを画像データとして取り込む機能、
前記取り込んだ画像データを解読してＴＶ番組コードを認識する機能、
前記認識したＴＶ番組コードからチャンネル情報および時間情報を含む番組情報を展開する機能、
前記展開した番組情報をメモリに記憶する機能、
を実現させるためのＴＶ機能を有する携帯端末装置の番組登録プログラム。
【請求項１１】
前記メモリに登録された番組情報を読み出して表示部に表示する機能、
表示された番組情報の中から選択された番組情報に含まれるチャンネル情報をＴＶ用チューナに入力する機能、
を実現させるための請求項１０記載のＴＶ機能を有する携帯端末装置の番組登録プログラム。
【請求項１２】
前記メモリに登録された番組情報を読み出して表示部に表示する機能、
表示された番組情報の中から選択された番組情報に含まれる時間情報を基にＴＶ機能をタイマ起動／停止する機能、
を実現させるための請求項１０記載のＴＶ機能を有する携帯端末装置の番組登録プログラム。
【発明の詳細な説明】
【技術分野】
【０００１】
本発明は、ＴＶ機能を有する携帯端末装置，その番組登録方法およびプログラムに関し、特に、カメラ機能を利用してＴＶ番組情報を登録するＴＶ機能を有する携帯端末装置，その番組登録方法およびプログラムに関する。
【背景技術】
【０００２】
最近の携帯電話の発展は目覚しく、カメラ機能やリモコン機能といった携帯電話本来の機能とは異なる付加機能を有するものも出てきている。
【０００３】
その中で、ＴＶ機能を有する携帯電話も開発されている。ＴＶを視聴するときには、所望のチャンネルをスキャンさせるなど、ユーザが携帯電話を操作して目的のチャンネルに合わせている。また、ＴＶ番組の登録を行うときは、ユーザがスイッチ操作（キー操作）により携帯電話を操作して番組情報を入力してメモリに記憶させている。
【０００４】
従来の携帯型情報端末の一例として、特許文献１には、携帯電話に、キー操作部（操作手段）とカメラ（画像取込手段）と表示部（画像表示手段）とを設け、カメラで取り込まれた画像に含まれる記号情報としてのバーコードを情報認識手段で解読しバーコード情報として認識し、このとき、取り込まれた画像が情報認識手段で解読可能であれば、スピーカーから連続音を発生させ、認識したバーコードをバーコードーデータとして保存し、画像化して表示部に表示する携帯型情報読取装置が公開されている。
【０００５】
また、特許文献２には、少なくともアンタナと、メモリと、メモリ側シリアルインターフェイス回路と、メモリ側コントローラと、チューナー回路とを備え、チューナー回路はアンテナから供給された電波信号のうちテレビジョン信号，ＦＭ信号，ＡＭ信号等の所要のチャンネルの電波信号を選択して接続機器へ供給する半導体メモリ装置が公開されている。
【０００６】
また、特許文献３には、テレビ番組を特定するための番組識別コードを入力する番組識別コード入力手段と入力した番組識別コードを無線送信する番組識別コード送信手段とを含む携帯電話と、テレビ受像機と、番組識別コードを受信する番組識別コード受信部と、番組識別コード受信部からの番組識別コードを記録する番組識別コード記録部と、テレビ受像機および録画装置を制御する制御手段と、を備えた携帯電話を使用した番組登録装置および番組録画予約装置が公開されている。
【０００７】
【特許文献１】特開２００２−１７６５０９号公報
【特許文献２】特開２００１−１４４６３４号公報
【特許文献３】特開２００１−２８５７６８号公報
【発明の開示】
【発明が解決しようとする課題】
【０００８】
しかしながら、従来のＴＶチューナ設定時においては、次のような課題がある。
【０００９】
第１の課題は、チャンネルの設定時に複数スイッチを操作することが必要のため、操作が煩わしいということである。
【００１０】
第２の課題は、一度視聴したチャンネルの設定を登録してメモリに記憶できないため、ＴＶ番組のように１週間毎に同じ番組を繰り返すものに対して、チャンネルの設定をその都度行う必要がある。
【００１１】
本発明の目的は、カメラ機能を利用してＴＶ番組情報を登録するＴＶ機能を有する携帯端末装置，その番組登録方法およびプログラムを提供することにある。
【００１２】
また、本発明の他の目的は、登録したＴＶ番組情報の中から視聴したいＴＶ番組情報を選択するＴＶ機能を有する携帯端末装置，その番組登録方法およびプログラムを提供することにある。
【課題を解決するための手段】
【００１３】
本願第１の発明のＴＶ機能を有する携帯端末装置は、ＴＶ機能を有する携帯端末装置であって、チャンネル情報および時間情報を含むＴＶ番組情報を登録するＴＶ番組情報登録手段と、前記ＴＶ番組情報登録手段が登録したＴＶ番組情報を指定してＴＶチャンネルを選択するＴＶチャンネル選択手段と、を備える。
【００１４】
本願第２の発明のＴＶ機能を有する携帯端末装置は、第１の発明において前記ＴＶ番組情報登録手段は、ＴＶ番組コードを撮影するカメラと、前記カメラが撮影した前記ＴＶ番組コードの画像データを取り込んで解読してＴＶ番組コードを認識するＴＶ番組コード認識手段と、前記ＴＶ番組コード認識手段が認識したＴＶ番組コードからＴＶ番組情報を展開して格納するＴＶ番組情報格納手段と、を含む。
【００１５】
本願第３の発明のＴＶ機能を有する携帯端末装置は、第１の発明において前記ＴＶチャンネル選択手段は、前記ＴＶ番組情報登録手段が登録したＴＶ番組情報を読み出すＴＶ番組情報読出手段と、前記ＴＶ番組情報読出手段が読み出したＴＶ番組情報リストの中から選択したＴＶ番組情報に含まれるチャンネル情報をＴＶ用チューナに入力するチャンネル情報入力手段と、を含む。
【００１６】
本願第４の発明のＴＶ機能を有する携帯端末装置は、第１の発明において前記ＴＶ番組情報登録手段が登録したＴＶ番組情報に含まれる時間情報を基にＴＶ機能をタイマ起動／停止する手段を含む。
【００１７】
本願第５の発明のＴＶ機能を有する携帯端末装置は、第２の発明において前記ＴＶ番組コードは、バーコードから成る、ことを特徴とする。
【００１８】
本願第６の発明のＴＶ機能を有する携帯端末装置の番組登録方法は、ＴＶ機能を有する携帯端末装置の番組登録方法であって、カメラは、ＴＶ番組コードを撮影して画像データを取り込んで制御部に送出し、前記制御部は、画像データを解読してＴＶ番組コードを認識し、認識したＴＶ番組コードからチャンネル情報および時間情報を含む番組情報を展開し、前記番組情報をメモリに記憶する、ことを特徴とする。
【００１９】
本願第７の発明のＴＶ機能を有する携帯端末装置の番組登録方法は、第６の発明において前記制御部は、前記メモリに登録された番組情報を読み出して表示部に表示し、表示された番組情報の中から選択された番組情報に含まれるチャンネル情報をＴＶ用チューナに入力する、ことを特徴とする。
【００２０】
本願第８の発明のＴＶ機能を有する携帯端末装置の番組登録方法は、第６の発明において前記制御部は、前記メモリに登録された番組情報を読み出して表示部に表示し、表示された番組情報の中から選択された番組情報に含まれる時間情報を基にＴＶ機能をタイマ起動／停止する、ことを特徴とする。
【００２１】
本願第９の発明のＴＶ機能を有する携帯端末装置の番組登録方法は、第６の発明において前記ＴＶ番組コードは、バーコードである、ことを特徴とする。
【００２２】
本願第１０の発明のＴＶ機能を有する携帯端末装置の番組登録プログラムは、ＴＶ機能を有する携帯端末装置の番組登録プログラムであって、コンピュータに、カメラで撮影したＴＶ番組コードを画像データとして取り込む機能、前記取り込んだ画像データを解読してＴＶ番組コードを認識する機能、前記認識したＴＶ番組コードからチャンネル情報および時間情報を含む番組情報を展開する機能、前記展開した番組情報をメモリに記憶する機能、を実現させる。
【００２３】
本願第１１の発明のＴＶ機能を有する携帯端末装置の番組登録プログラムは、第１０の発明において前記メモリに登録された番組情報を読み出して表示部に表示する機能、表示された番組情報の中から選択された番組情報に含まれるチャンネル情報をＴＶ用チューナに入力する機能、を実現させる。
【００２４】
本願第１２の発明のＴＶ機能を有する携帯端末装置の番組登録プログラムは、第１０の発明において前記メモリに登録された番組情報を読み出して表示部に表示する機能、表示された番組情報の中から選択された番組情報に含まれる時間情報を基にＴＶ機能をタイマ起動／停止する機能、を実現させる。
【発明の効果】
【００２５】
本発明においては、以下に記載するような効果を奏する。
【００２６】
第１の効果は、ＴＶ番組の登録をバーコード読み取りで行っているので、多くのスイッチ操作を行う必要がなくＴＶ番組の設定ができることである。
【００２７】
第２の効果は、一度登録したものを番組リストとしてデータを記憶しているので、同じ時間帯、同じチャンネルの番組を再度視聴しようとした場合、設定（特にチャンネル）が容易であるということである。
【発明を実施するための最良の形態】
【００２８】
本発明は、ＴＶチューナ付き（ＴＶ機能を有する）携帯端末装置（例えば、携帯電話等）において、携帯端末装置への番組登録時に、携帯者自身がスイッチ操作で番組を入力して登録するのではなく、付随のカメラ機能を利用して新聞や雑誌等の紙面に印刷されているＴＶ番組コード（例えば、バーコード等）を撮影して取り込み認識することによりＴＶ番組情報を登録することを特徴としている。
【００２９】
次に、本発明を実施するための最良の形態について、図面を用いて詳細に説明する。なお、本実施例では、携帯端末装置として携帯電話を例にとり、またＴＶ番組コードとしてバーコードを例にとり説明する。
図１は、本発明の一実施例のブロック図である。
【００３０】
図１を参照すると、本発明の一実施例としてのＴＶ機能を有する携帯電話は、プログラム制御で動作し、無線部１０１と、制御部１０２と、レシーバ１０３と、マイク１０４と、ＳＰ（スピーカ）１０５と、ＳＷ群１０６と、表示ドライバ１０７と、表示部１０８と、ＴＶ用受信部１０９と、ＴＶ用チューナ１１０と、カメラ１１１と、接写レンズ１１２と、メモリ１１３と、時計１１４と、を備えている。
【００３１】
これらは概略以下のように動作する。
【００３２】
電話通話時には、無線部１０１は復調信号を受信して制御部１０２に送出し、制御部１０２は復調信号を音声信号に変換してレシーバ１０３に送出し、レシーバ１０３は音声を出力する。また、制御部１０２はＳＰ１０５に制御信号を送出し、ＳＰ１０５は着信音を出力する。また、マイク１０４は音声を入力して音声信号を制御部１０２に送出し、制御部１０２は音声信号を変調信号に変換して無線部１０１に送出し、無線部１０１は変調信号を送信する。
【００３３】
ＳＷ群１０６は、テンキースイッチや各機能毎に割り振られたスイッチ等を含むスイッチ群である。電話の発信，メールの作成，メールの送付あるいは各種機能の選択などは、ＳＷ群１０６に含まれるテンキースイッチや各機能毎に割り振られたスイッチ等を操作することで行う。
【００３４】
情報表示時には、制御部１０２は無線部１０１で受信したデータあるいはメモリ１１３に格納されているデータなどの各種データを表示ドライバ１０７を介して表示部１０８に送出し、表示部１０８はデータの表示を行う。
【００３５】
情報格納時には、制御部１０２はメッセージ情報（送受信したメール等）あるいは電話番号情報（電話帳）などの各種データをメモリ１１３に記憶する。
【００３６】
付加機能としてのカメラ撮影時には、カメラ１１１は撮影した画像を制御部１０２に送出し、制御部１０２は画像データを表示ドライバ１０７を介して表示部１０８に送出し、表示部１０８は画像データを表示する。また、制御部１０２は画像データをメモリ１１３に保存する。
【００３７】
また、制御部１０２は、カメラが撮影したバーコードの画像データを取り込んで解読してバーコードを認識するＴＶ番組コード認識手段とＴＶ番組コード認識手段が認識したバーコードからＴＶ番組情報を展開して格納するＴＶ番組情報格納手段とを有する。
【００３８】
番組情報登録時には、接写レンズ１１２を装着したカメラ１１１は新聞や雑誌等に印刷されているバーコードを撮影して画像データを取り込んで制御部１０２に送出する。制御部１０２は画像データを解読し、正しいフォーマットかを判定してバーコードを認識し、バーコードの番組情報（チャンネル情報や時間情報等）をメモリ１１３に記憶する。メモリ１１３には複数の番組情報を記憶することができ、これらは番組情報リストとして管理される。なお、カメラは、接写レンズ１１２を装着したカメラ１１１ではなく、接写機能を内蔵したカメラでもよい。
【００３９】
また、制御部１０２は、ＴＶ番組情報を読み出すＴＶ番組情報読出手段とＴＶ番組情報読出手段が読み出したＴＶ番組情報リストの中から選択したＴＶ番組情報に含まれるチャンネル情報をＴＶ用チューナに入力するチャンネル情報入力手段とを有する。
【００４０】
ＴＶ視聴時には、制御部１０２はメモリ１１３に登録された番組情報を読み出して表示ドライバ１０７を介して表示部１０８に表示し、ＳＷ群１０６は表示部１０８に表示されている番組情報の中から番組情報を選択し、制御部１０２は選択された番組情報に含まれるチャンネル情報をＴＶ用チューナ１１０に入力し、ＴＶ用受信部１０９はＴＶ用チューナ１１０により設定されたチャンネルの電波を受信する。ＴＶ用受信部１０９は受信したＴＶ用電波をＴＶ用チューナ１１０に送出し、ＴＶ用チューナ１１０はＴＶ用電波を復調して制御部１０２に送出し、制御部１０２は表示ドライバ１０７を介して表示部１０８に送出し、表示部１０８はＴＶ画像を表示し、携帯者はＴＶを視聴する。
【００４１】
また、制御部１０２は、タイマ機能（ＴＶ機能をタイマ起動／停止する手段）を有する。制御部１０２は、メモリ１１３に登録されているＴＶ番組情報に含まれる開始時刻と時計１１４から取得した現在時刻とを比較し、一致したときにＴＶ用チューナ１１０の機能をＯＮにしてそのＴＶ番組情報のチャンネル番号をＴＶ用チューナ１１０に入力する（タイマＯＮ）。制御部１０２は、メモリ１１３に登録されているＴＶ番組情報に含まれる終了時刻と時計１１４から取得した現在時刻とを比較し、一致したときにＴＶ用チューナ１１０の機能をＯＦＦにする（タイマＯＦＦ）。
【００４２】
次に、本発明を実施するための最良の形態の動作について、図面を用いて詳細に説明する。
【００４３】
最初に、番組を登録する方法について図面を用いて詳細に説明する。
図２は、バーコードによる番組登録時の動作の流れを示す図である。
【００４４】
図２を参照して、バーコードによる番組登録を行う時の動作の流れについて説明する。
【００４５】
携帯電話の携帯者は、ＴＶ番組をバーコードにより登録する場合（ステップＳ２０１で”Ｙ”）、カメラ１１１に接写レンズ１１２を装着する（ステップＳ２０２で”Ｙ”）。
【００４６】
紙面等に印刷されているＴＶ番組のバーコードを含む画像をカメラによって取り込む（ステップＳ２０３）。
【００４７】
取り込んだ画像をバーコード認識手段（図示せず）によって解読してバーコードを認識する（ステップＳ２０４）。
【００４８】
携帯電話では、バーコードを正常に認識することができたかを判定し（ステップＳ２０５）、正常に認識できていれば、バーコードを基にＴＶ番組情報（チャンネル，開始時刻，終了時刻等）を展開し、ＴＶ番組情報をメモリ１１３に記憶して（ステップＳ２０６）、番組登録を終了する。
【００４９】
バーコードを正常に認識することができなかった場合は（ステップＳ２０５で”Ｎ”）、表示部１０８にアラーム（「認識できません」）を表示する（ステップＳ２０７）。
【００５０】
携帯者はバーコードの認識ができるようにカメラの距離などの条件を調整し（ステップＳ２０８）、再度、カメラによる画像の取り込みを行う（ステップＳ２０３に戻る）。
【００５１】
また、バーコードによる番組登録を行わない場合は（ステップＳ２０１で”Ｎ”）、ＳＷ群１０６を使用して直接手入力でＴＶ番組情報を入力し（ステップＳ２０９）、メモリ１１３に記憶する（ステップＳ２０６）。
【００５２】
次に、上記のようにして登録した番組情報を表示する画面について説明する。
図３は登録番組表示画面の例を示す図である。
【００５３】
図３を参照すると、表示画面上に、登録番号毎に登録状態を表示する。
【００５４】
各登録番号毎に、バーコード認識あるいは手入力で設定した番組のＣＨ（チャンネル）番号と、番組の曜日と、番組の時間帯と、を表示する。
【００５５】
本例では、登録番号１から５までを示しており、登録番号５については未登録状態であることを示している。
【００５６】
次に、登録した番組を視聴する方法について説明する。
【００５７】
制御部１０２は、時計１１４から現在の時刻を取得し、時計１１４から取得した現在の時刻がメモリ１１３に登録されているＴＶ番組情報の開始時刻と一致したときに、そのＴＶ番組のチャンネル番号をＴＶ用チューナ１１０に入力する。
【００５８】
ＴＶ用受信部１０９はＴＶ用チューナ１１０により設定されたチャンネルの電波を受信し、受信した電波はＴＶ用チューナ１１０で復調された後、制御部１０２を介して表示部１０８に送出され、表示部１０８はＴＶ画面を表示し、携帯者はＴＶを視聴する。
【００５９】
また、時計１１４から取得した現在の時刻がメモリ１１３に登録されているＴＶ番組情報の終了時刻と一致したときに、ＴＶ用チューナ１１０の機能をＯＦＦにし、ＴＶ視聴を終了する。
【００６０】
このようにして、本発明では、カメラで撮影したバーコード情報を携帯電話に取り込むことで携帯電話のメモリ上に番組情報を記憶することにより、携帯者がキー操作により番組を設定するという煩雑なことをせずに容易に番組登録ができる。また、登録した番組情報は繰り返し活用できる。
【００６１】
次に、本発明の他の実施例について、図面を参照して詳細に説明する。
【００６２】
本発明の他の実施例は、その基本的構成は上述した実施例の図１と同様であるが、登録したＴＶ番組の視聴方法についてさらに工夫している。すなわち、番組情報リスト上の番組に対してタイマ設定を行い、タイマ設定ＯＮとなっている番組だけを視聴するように制御している。
図４は本発明の他の実施例のフローチャートを示す図である。
図５は本発明の他の実施例の登録番組表示画面の例を示す図である。
図６は本発明の他の実施例のタイマ登録画面の例を示す図である。
【００６３】
図４を参照して、ＴＶ番組の視聴時の動作を説明する。
【００６４】
本実施例のＴＶチューナ付き携帯電話は、最初、待ち受け状態にある（ステップＳ４０１）。
【００６５】
携帯者がある時間経過後にＴＶを視聴しようとした場合、タイマによる予約を行う。ＴＶ番組をタイマ設定しようとする場合は（ステップＳ４０２で”Ｙ”）、先ず、既に複数のＴＶ番組を登録してある番組リストから選択するか、或いは直接キー入力により設定するかを選択する（ステップＳ４０３）。
【００６６】
番組リストから選択する場合は（ステップＳ４０３で”Ｙ”）、番組リストを表示して番組リストから目的とする番組を選択する（ステップＳ４０４）。
【００６７】
選択した番組に設定されている番組時間帯が現状のままでよければ（ステップＳ４０５で”Ｙ”）、タイマ設定ＯＮを選択する（ステップＳ４０６）。
【００６８】
タイマの時間帯を変更する場合は（ステップＳ４０５で”Ｎ”）、希望する時間に設定し（ステップＳ４０９）、問題がなければ（ステップＳ４１０で”Ｙ”）、タイマ設定ＯＮとする（ステップＳ４０６）。
【００６９】
直接キー入力により設定する場合は（ステップＳ４０３で”Ｎ”）、ＳＷ群１０６からキー入力して番組（チャンネル情報等）を設定し（ステップＳ４１１）、タイマの時間帯を設定し（ステップＳ４１２）、タイマ設定ＯＮとする（ステップＳ４０６）。
【００７０】
これで、タイマ設定が完了し（ステップＳ４０７）、設定された時刻になるとＴＶが自動的に表示されＴＶがスタートするように制御される（ステップＳ４０８）。
【００７１】
タイマを設定せずにＴＶ番組を視聴しようとする場合で（ステップＳ４０２で”Ｎ”）、今すぐＴＶ見るときには（ステップＳ４１３で”Ｙ”）、ＳＷ群１０６からキー入力して番組（チャンネル情報等）を設定すると（ステップＳ４１４）、設定したチャンネルのＴＶ画面を表示する（ステップＳ４１５）。
【００７２】
次に、登録番組表示画面およびタイマ登録画面について説明する。
【００７３】
図５は数件の番組登録をした後の登録番組表示画面の例であり、表示画面上には５件が表示されている。例えば、登録番号１では、登録してあるＣＨ番号が「４チャンネル」で、その番組の曜日が「火曜日」で、時間帯が「２１：００〜２２：００」であることを示している。また、タイマが登録されているので、「設定ＯＮ」と表示されている。
【００７４】
図６はタイマ登録画面の例である。図５の登録番組表示画面で、タイマ登録を行いたい登録番号にカーソルを位置づけてタイマ登録（特定のキー）を指定すると、図６のタイマ登録画面が表示される。変更なくタイマ設定を行う場合には、タイマ登録を終了させる。変更する場合には、この画面で、スイッチを操作することにり、カーソルを各項目の場所に移動させ、テンキー等で設定を行う。設定するのはチャンネル、曜日、タイマの開始時間と終了時間である。図６の例では、図５の登録番号２の項目について、終了時間を「１８：３０」から「１９：００」に設定変更している。タイマ登録を終了すると、図５の画面に設定した内容が表示され、「設定ＯＮ」と表示される。また、図５の登録番組表示画面で、タイマ登録を行っている登録番号にカーソルを位置づけてタイマ削除（特定のキー）を指定すると、タイマ登録が削除され「設定ＯＮ」の表示が消去される。
【００７５】
このようにして、登録している番組情報の中から番組を任意に選択してタイマー設定することができるので、選択した番組を設定された時刻になるとＴＶ視聴することができる。
【００７６】
なお、上述した実施例では、ＴＶ番組コードとしてバーコードを例にとり、バーコードを撮影し撮影した画像からバーコードを認識してＴＶ番組情報を設定しているが、新聞や雑誌の番組表に印刷されているＧコードを撮影し撮影した画像からＧコードを認識してＴＶ番組情報を設定するようにしてもよい。
【００７７】
また、特定のスイッチを押したときに視聴しているＴＶ画面の画像を保存する機能を有するようにしてもよい。これにより、ＴＶ画像を電子メールで送信するなど、ＴＶ画像を活用することができるようになる。
【００７８】
本発明による上述した実施の形態において、ＴＶ機能を有する携帯端末装置の処理動作を実行するためのプログラム等を、データとしてコンピュータの磁気ディスクや光ディスク等の記録媒体（図示せず）に記録するようにし、記録されたデータを読み出してＴＶ機能を有する携帯端末装置を動作させるために用いる。このように、本発明によるＴＶ機能を有する携帯端末装置を動作させるデータを記録媒体に記録させ、この記録媒体をインストールすることによりＴＶ機能を有する携帯端末装置の機能が実現できるようになる。
【図面の簡単な説明】
【００７９】
【図１】本発明の一実施例のブロック図
【図２】バーコードによる番組登録時の動作の流れを示す図
【図３】登録番組表示画面の例を示す図
【図４】本発明の他の実施例のフローチャートを示す図
【図５】本発明の他の実施例の登録番組表示画面の例を示す図
【図６】本発明の他の実施例のタイマ登録画面の例を示す図
【符号の説明】
【００８０】
１０１    無線部
１０２    制御部
１０３    レシーバ
１０４    マイク
１０５    ＳＰ
１０６    ＳＷ群
１０７    表示ドライバ
１０８    表示部
１０９    ＴＶ用受信部
１１０    ＴＶ用チューナ
１１１    カメラ
１１２    接写レンズ
１１３    メモリ
１１４    時計
【図１】
2005094226.tif 000003
【図２】
2005094226.tif 000004
【図３】
2005094226.tif 000005
【図４】
2005094226.tif 000006
【図５】
2005094226.tif 000007
【図６】
2005094226.tif 000008